(57)【特許請求の範囲】
【請求項１】
頂部に公園、河川敷等の掲示板（２）を取付ける支柱（８）基部を、当該公園、河川敷等の適所の基台（１７）に設ける、支持体（９、３０、４０）下部の取付板（１０）からほぼ垂直、平行状に起立する一対の側板（１１、１１）間に配し、該支柱（８）基部を前記両側板（１１、１１）下部の固定ピン（１３）により起伏可能に設けると共に、該支柱（８）の前記固定ピン（１３）による取付部よりやや上位の穴（８Ｃ、８ＣＣ）又は凹部（８ＣＰ）を、前記両側板（１１、１１）の頂部と下側部に交互に、脱着ピン（１４）、ばね（３６、４６）付係止ピン（３７、４７）又はばね（３６）付球（３７Ｂ）等の係止手段により係止可能にしたことを特徴とする倒伏可能な掲示装置。
【請求項２】
前記支持体（３０、４０）基部の取付板（１０）から起立する、両側板（１１、１１）の頂部及び下側部に、ばね（３６、４６）により常時弾圧され、前記支柱（８）基部の固定ピン（１３）挿入穴（８Ｄ）よりやや上位の穴（８Ａ、８ＣＣ）又は凹部（８ＣＰ）に係合し、当該穴（８Ａ、８ＣＣ）又は凹部（８ＣＰ）に、端部の半球状面（３９Ａ）の進入する半球状端部を有するねじ蓋（３５）、ばね（３６）付係止ピン（３８）、又はねじ蓋（３５）、ばね（３６）付球（３７Ｂ）を設けたことを特徴とする請求項１記載の倒伏可能な掲示装置。
【請求項３】
前記支持体（９、３０、４０）下部の取付板（１０）上で、当該取付板（１０）からほぼ垂直、平行状に起立する一対の側板（１１、１１）間に、前記支柱（８）の倒伏する下面の当接する緩衝ゴム（１９）を設けたことを特徴とする請求項１又は２の何れかに記載の倒伏可能な掲示装置。
【発明の詳細な説明】
【０００１】
【発明の属する技術の分野】
この発明は倒伏可能な掲示装置、殊に、公園、河川敷等の各種施設の適所に設けることにより、当該公園、河川敷等に係わる事項等を案内、告知する倒伏可能な掲示装置に関する。
【０００２】
【従来の技術】
公園、河川敷等の各種施設の適所に、当該公園、河川敷等の各種施設に係わる事項を案内、告知する掲示装置は、例えば、当該公園、河川敷等の各種施設の適所に設ける掲示装置が、強風、洪水時の増水等の緊急状態発生に対処可能にするため、例えば、当該河川敷の適所等に設置する掲示装置が、当該河川の流れを阻害しない様に取り外し可能なものの設置が容認されるに留まり、その構造が複雑になり、取り扱いも面倒になるものであった。
【０００３】
また、特開平１１−３２３８４７号公報には、強風で動いたり倒れたりせず、保管や運搬性をよくするため、扁平な標識本体を扁平な基台に対して回動及び前後方向に移動可能に結合すると共に、標識本体が基台に対して倒れるのを倒れ阻止手段により阻止して直立状態を保持し、倒れ止め手段を外して基台上へ倒伏可能にした保安標識が記載されている。
【０００４】
さらに、特開平１０−１９１６号公報には、道路側溝のコンクリート製蓋の穴に、簡便な取付け手段により取付け、取り外しできる各種標識板の支持装置について記載されている。
【０００５】
【従来技術における問題点】
前記のような従来の公園、河川敷等の掲示装置にあっては、当該掲示装置が強風や洪水等の緊急状態発生時の阻害にならないように、予め当該河川敷等から取り外す必要があるため、その構造が複雑で、取り扱いが面倒であった。
【０００６】
また、前記特開１１−３２３８４７号公報記載の保安標識にあっては、倒れ止め手段の掛け外しにより扁平な標識本体を扁平な基台に対して起立又は倒伏させることができるものの、倒れ止め手段の構造が複雑で、その取り扱いが面倒であり、前記特開平１０−１９１６号公報記載の保安標識にあっては、標識板の支柱部を有する筒体と、該筒体内に挿し込んだ引張棒と、該引張棒の頂部に設けたクランプ手段と、前記筒体を前記蓋上に垂直上に直立させ、かつ該引張棒の先端を外部へ突出可能な座板と、前記引張棒先端に設けられ、前記穴に挿入した後方向を変えて、当該穴との係合又は係合解除可能な係止片を備える構造が複雑で、取り扱いが面倒になるきらいがあった。
【０００７】
この発明は前記のような従来例における問題点に着目してなされたもので、公園、河川敷等の適所に設けられ、当該公園、河川敷等に係わる情報等を告知する掲示装置を、支持体下部の取付板から起立する側板下部に、支柱の基部を固定ピンで起伏可能に設けると共に、該支柱の起立又は倒伏位置の何れかを脱着ピン、係止ピン又はばね付球等の係止具により係止可能にすることにより、前記のような問題点のない倒伏可能な掲示装置を提供しようとするものである。
【０００８】
【課題の解決手段】
請求項１の発明は、頂部に公園、河川敷等の掲示板２を取付ける支柱８基部を、当該公園、河川敷等の適所の基台１７に設ける、支持体９、３０、４０下部の取付板１０からほぼ垂直、平行状に起立する一対の側板１１、１１間に配し、該支柱８基部を前記両側板１１、１１下部の固定ピン１３により起伏可能に設けると共に、該支柱８の前記固定ピン１３による取付部よりやや上位の穴８Ｃ、８ＣＣ又は凹部８ＣＰを、前記両側板１１、１１の頂部と下側部に交互に、脱着ピン１４、ばね３６、４６付係止ピン３７、４７又はばね３６付球３７Ｂ等の係止手段により係止可能にした倒伏可能な掲示装置で、公園、河川敷等の適所の基台１７に取付ける支持体９、３０、４０下部の取付板１０から起立する側板１１、１１間に配した支柱９を、その基部の固定ピン１３回りに起立する起立位置を確保して、頂部に取付ける掲示板２に当該公園、河川敷等に係わる情報を掲示する一方、必要に応じてその支柱８を倒伏させ、当該掲示装置の倒伏状態を確保し、また、前記脱着ピン１４、ばね３６、４６付係止ピン３７、４７又はばね３６付球３７Ｂ等の係止手段により、前記倒伏状態における前記支柱の係止状態を開放して、当該掲示板２付き支柱９を起立させ、前記作用を繰り返す。
【０００９】
請求項２の発明によれば、前記支持体３０、４０部の取付板１０から起立する、両側板１１、１１の頂部及び下側部に、ばね３６、４６により常時弾圧され、前記支柱８基部の固定ピン１３挿入穴８Ｄよりやや上位の穴８Ａ、８ＣＣ又は凹部８ＣＰに係合し、当該穴８Ａ、８ＣＣ又は凹部８ＣＰに、端部の半球状面３９Ａの進入する半球状端部を有するねじ蓋３５、ばね３６付係止ピン３８又はねじ蓋３５、ばね３６付球３７Ｂを設けたことにより、仮に、前記掲示板取付け用支柱８を予め倒伏させる操作を失念した場合においても、起立する当該支柱８への強風、急速水流等による所定値以上の負荷が掛かれば、当該倒伏可能な掲示装置の掲示板を取付けた支柱が自動的に倒伏する。
【００１０】
請求項３の発明によれば、前記支持体９、３０、４０下部の取付板１０上で、当該取付板１０からほぼ垂直、平行状に起立する一対の側板１１、１１間に、前記支柱８の倒伏する下面の当接する緩衝ゴム１９を設けたことにより、前記支柱８の倒伏時に発生する衝撃音が緩和され、当該倒伏可能な掲示装置が保護される。
【００１１】
【実施例】
以下、この発明に係る倒伏可能な掲示装置の実施例を、添付の図１〜１０を参照して説明する。
【００１２】
【第１実施例】
図１は第１実施例の一部を縦断して略示する模式正面説明図で、図１では掲示板２に隠れる縦横リブ４Ａ、４Ｂを破線で略字した。図２はその模式側面説明図、図３はその模式裏面説明図、図４はその支持体９の模式斜視説明図である。
【００１３】
図１〜４において、この第１実施例の倒伏可能な掲示装置１は、掲示板２を頂部に取付ける支柱８と、該支柱８の基部を起伏可能に取付ける支持体９により構成する。３は長方形状のフレームで、同フレーム３の上下及び左右を縦リブ４Ａ及び横リブ４Ｂで連結し、縦横リブ４Ａ、４Ｂの上部に掲示板２を取付け、固定する。２Ａは掲示板２の上面に貼着等の適宜取付け手段で取付けるサインプレートである。なお、サインプレート２Ａは十分な強度を備えると共に、その告知内容が長期間変らない場合には、縦横リブ４Ａ、４Ｂ及びフレーム３に直接取付けることができる。
【００１４】
５は縦リブ４Ａ、４Ａから後側（図２では右側）に突出する取付板で、取付け板５、５間に支柱８の頂部を挿し込み、固定ピン６を側板５と支柱の穴５Ａと８Ａに挿し込んで取付ける。取付板５の穴５Ｃと支柱８の穴８Ｃに脱着ピン７を挿し込み掲示板２を図２の実線の様に取付け、端部に錠１５を設けてその位置（図２は傾斜位置）を確保する。脱着ピン７の端部から錠１５を外し、取付け板５の穴５Ｂと支柱８の穴８Ｃに挿し込めば、掲示板２を直立する支柱８に沿う直立状に取付けることができる。取付板５に穴５Ｂ、５Ｃ以外の穴、例えば、穴５Ｃの右側に穴を設ければ、掲示板２を起立する支柱に対して、異なる角度で傾斜するように取付けられる。
【００１５】
支持体９は、その下部の取付板１０を、例えば、公園、河川敷Ｇ等の適所に設けた基礎１６にアンカーボルト１８で取付けた基台１７上に、ナット１８Ａ止めする。１１、１１は取付板１０からほぼ垂直状で、平行状に起立する一対の側板で、両側板１１、１１間に支柱８の基部を挿し込み、支柱８の基部の穴８Ｄと側板１１の中央下部の穴１１Ａに固定ピン１３を挿し込んで起伏可能に取付ける。脱着ピン１４は支柱８の穴８Ｃと側板１１頂部の穴１１Ｂに挿し込まれ、支柱８を直立状態に確保する。脱着ピン１４の端部に錠１５を設け、当該状態（図２は起立状態）を確保する。
【００１６】
錠１５を外して脱着ピン１４を引き抜き、支柱８を固定ピン１３回りの反時計方向（図２）に回し、水平状に倒伏させて破線位置８Ｆとし、同支柱８Ｆの穴８Ｃと側板１１下側の穴１１Ｃに挿し込んだ後、端部に錠１５を付けて倒伏位置を確保する。支柱８を倒伏させる際、その下側が緩衝ゴム１９に当接し、衝撃発生を緩和する。なお、１２は側板１１の外側に設けた当該側板１１の補強用リブで、この例では側板１１外側に２枚設けたが、リブ１１は１枚又は３枚にすることもできる。
【００１７】
【第１実施例の作用】
公園、河川敷Ｇ等の適所に設けた基礎１６のアンカーボルト１８により、基台１７を介して支持体９下部の取付板１０を取付け、同取付板１０から起立する側板１１、１１間に支柱８の下部を配し、固定ピン１３、脱着ピン１４等により図２のように直立状に取付けると共に、該支柱８の頂部に掲示板２を取付けたフレーム３の上下を結ぶ縦リブ４Ａから、その後側に突出する一対の取付板５、５を配し、該取付板５の穴５Ａと５Ｃ（又は５Ｂ）と、支柱８の穴８Ａ、８Ｃとに固定ピン６、脱着ピン７を挿し込んで、図２の実線の傾斜位置（又は同図２の破線の直立位置）に取付ける。
【００１８】
仮に、強風、急速水流等の発生が予測される場合には、錠１５を外して脱着ピン１４を引き抜いた後、支柱８を倒伏させ、脱着ピン１４を図２の符号１４Ｂのように側板１１下側部の穴１１Ｃに挿し込んで倒伏位置８Ｆを確保し、必要に応じて脱着ピン１４Ｂの端部に錠１５を掛ける。掲示板２の支柱８に対する角度は脱着ピン７の挿し込み位置（穴）の切り変えにより行う。
【００１９】
【第２実施例】
次に、この発明の第２実施例の倒伏可能な掲示装置１Ｂを、図５〜７を参照して説明する。図５は第２実施例の支持体３０側板１１下側部の、穴１１ＣＣ回りの中空状雄ねじ３１に、端部に半球状面３９Ａを備える係止ピン３７を内挿するねじ蓋３５部の模式縦断説明図で、図５では支柱８の固定ピン１３回りの回動に基づく押圧力Ｆ（この押圧力Ｆは実際には図５の紙面と垂直方向）の、半球状面３９Ａを介する係止ピン３７への伝達要領を同時に略示した。図６は一部を縦断して略示するその模式正面説明図、図７は一部を縦断して略示するその模式側面説明図である。なお、前記第１実施例と共通する部分には同一名称及び同一符号を用いる。
【００２０】
図５〜７において、Ｓ−Ｓは半球状面３９Ａへの押圧力Ｆの作用点における接線で、当該作用点における接線Ｓ−Ｓと直交方向、即ち、前記押圧力Ｆの半球状面３９Ａの中心方向分力ＦＣが係止ピン３７に伝達され、同分力ＦＣの係止ピン３７の軸（長さ）方向分力ＦＶが、前記ばね３６の押圧力（予め設定された所定値）を超え、例えば、強風又は急速水流の発生時等における当該係止ピン３７のねじ蓋３５内への後退を可能にし、固定ピン１３回りの支柱８の回動、したがって、当該掲示板２の自動的な倒伏を可能にする。
【００２１】
３８は係止ピン３７の鍔で、鍔３８は係止ピン３７端部の半球状面３９Ａが、支柱８の穴８ＣＣ内へ過度に進入するのを阻止し、前記掲示板２を介する支柱８に過度の押圧力Ｆが発生した際、前記軸方向分力ＦＶによる当該係止ピン３７の後退、即ち、係止ピン３７の支柱８の穴８ＣＣからの自動的な後退性を確保する。ＦＴは押圧力Ｆの接線Ｓ−Ｓ方向の分力である。第２実施例の半球状面３９Ａ付き係止ピン３７を備えるねじ蓋３５は、側板１１の頂部の穴１１Ｂ、下側部の穴１１Ｃに同時に設けられる点で、前記第１実施例の脱着ピン１４とは異なり、ねじ蓋３５を側板１１の穴１１Ｂと１１Ｃに交互に挿入する必要がなく、しかも、支柱８を強風、洪水等の発生に備えて掲示板２と共に、あらかじめ倒伏させる必要がない。その予の構造および作用は前記第１実施例とほぼ同様である。
【００２２】
【第２実施例の変形例】
図８は、この発明の第２実施例の変形例についての、要部の模式縦断説明図で、この変形例は前記第２実施例のねじ蓋３５内に設けた半球状面３９Ａ付き係止ピン３７に代えて、ねじ蓋３５Ｂ内にばね３６付球３７Ｂを設けたものである。図８において、８ＣＰは支柱８に設けた半球面状の凹面で、この半球状凹面８ＣＰの深さ（図８の左右方向長さ）は、前記球３７Ｂの半径とほぼ等しいかやや短く構成し、同半球状凹面８ＣＰ内への当該球３７Ｂの進入を制限し、そのほぼ半分のみが進入し、前記押圧力Ｆ（図５参照）による軸方向分力ＦＷに対応するする球３７Ｂのねじ蓋３５Ｂ内への後退を可能にする。その予の構造及び作用は前記第１、２実施例とほぼ同様である。
【００２３】
【第３実施例】
次に、この発明の第３実施例の倒伏可能な掲示装置１Ｃを、その要部を略示する模式縦断説明図の図９及びその模式側面説明図の図１０を参照して説明する。なお、第３実施例の掲示板２及びサインプレート２ＣＣ等は、前記第１、２実施例とほぼ同様であるから、図９ではそれらの上半部を切除して下部のみを破線で略示した。また、前記第１、２実施例と共通する部分には同一名称、同一符号を用いる。
【００２４】
第３実施例は、その支柱８の基部を取付ける支持体４０側板１１の穴１１Ｂ回りの中空筒状雄ねじ４１に、ばね４６付掛止ピン４７を挿入して雌ねじ４３付ねじ蓋４５をねじ締めし、同掛止ピン４７を支柱８の穴８Ｃに挿入して支柱８の起立位置を確保する。掛止ピン４７と共にねじ蓋４５を穴１１Ｂから外し、支柱８を倒伏させた後、該ねじ蓋４５等を穴１１Ｃ部へ取着ける（移し変える）ことにより、支柱８の倒伏状態を確保する。また、掲示板２を取付ける取付板５の穴５Ｂ、５ＣＦ回りへねじ蓋２５をねじ締めする要領も前記第２実施例とほぼ同様である。ただし、この係止ピン４７の端部には半球状面の構成は無く、また、穴８Ｃは支柱８に凹部としてではなく貫通する穴として構成され、当該係止ピン４７の同穴８Ｃへ進入する長さは、図９に示されるように、鍔４８により規制される。なお、この第３実施例のものには、自動倒伏の機能は期待できない。その予の構造及び作用は前記第１実施例とほぼ同様である。
【００２５】
【効果】
（１）  請求項１の発明によれば、常時起立位置を確保する掲示板付き支柱を、必要に応じて係止手段の開放により倒伏させてその状態を確保し、また、これと略逆操作により倒伏する掲示板付支柱を起立させてその位置を確保できるから、適所に設置された掲示装置を他の場所へ移動させることなく、強風や急速水流の発生等に簡易に対処できる。
【００２６】
（２）  請求項２の発明によれば、仮に、強風や急速水流発生等の予測に基く当該支柱を予め倒伏させる対処忘れがあっても、起立する支柱が、強風や急速水流等の発生による所定値以上の負荷により自動的に倒伏し、当該倒伏可能な掲示装置の破壊を招いたり、強風、急速水流等の妨げになる恐れがない。
【００２７】
（３）  倒伏した当該掲示装置を、その支柱の端部に前記係止手段のばねによる押圧力に抗する力を加えるだけで起立させることができ、また、その支柱に対する掲示板の角度調節も、当該掲示板をそのフレームの縦横リブから後方に突出する前記取付板へ、固定ピン回りの回動力を加えるだけで行え、当該掲示装置の保守、管理が容易になる。
【００２８】
（４）  なお、前記支持体の側板と支柱との脱着ピン又は掲示板フレームの縦横リブから突出する取付板と支柱頂部との脱着ピンの一方又は双方の端部に開放可能な錠を設ければ、支柱の起伏または掲示板の支柱に対する角度変更を、第３者等による無用な操作を招く恐れがなく、それだけ当該倒伏可能な掲示装置の保守、管理が簡易になる。
【００２９】
（５）  請求項３の発明によれば、前記支持体下部の取付板上で、当該取付板からほぼ垂直、平行状に起立する一対の側板間に、前記支柱の倒伏する下面の当接する緩衝ゴムを設けたことにより、当該掲示装置の支柱を水平状に倒伏させる際に発生する衝撃が緩和され、当該倒伏可能な掲示装置が保護される。
【００３０】
【図面の簡単な説明】
【図１】この発明にかかる倒伏可能な掲示装置の第１実施例の一部を縦断して示す、模
式正面説明図である。
【図２】その模式側面説明図である。
【図３】その模式裏面説明図である。
【図４】その支柱の基部を起伏可能に取付ける支持体の模式斜視説明図である。
【図５】この発明の第２実施例の、支持体要部の模式縦断説明図である。
【図６】その一部を縦断して示す模式正面説明図である。
【図７】その模式側面説明図である。
【図８】この発明の第２実施例の、変形例の支持体要部の模式縦断説明図である。
【図９】この発明の第３実施例の、要部の模式縦断正面説明図である。
【図１０】その模式側面説明図である。
【００３１】
【符号の説明】
１、１Ｂ、１Ｃ……掲示装置
２、２Ｂ、２Ｃ……掲示板
３……フレーム
４Ａ……縦リブ
４Ｂ……横リブ
５……取付板
５Ａ〜５Ｃ……穴
６……固定ピン
８……支柱
８Ａ〜８Ｄ……穴
８ＣＰ……半球状凹面
１０……取付板
１１……側板
１１Ａ……側板下中央の穴
１１Ｂ……側板頂部の穴
１１Ｃ……側板下側の穴
１２……リブ
１３……固定ピン
１４……脱着ピン
１７……基台
１８……アンカーボルト
１８Ａ……ナット
１９……緩衝ゴム
３０……支持体
３１……中空雄ねじ
３３、３３Ａ……雌ねじ
３５、３５Ｂ……ねじ蓋
３６……ばね
３７……係止ピン
３７Ｂ……球
３８……鍔
３９……半球状端部
３９Ａ……半球状面
４０……支持体
４１……中空雄ねじ
４５……ねじ蓋
４６……ばね
４７……係止ピン
４８……鍔
Ｇ……河川敷
【図１】
0003622702.tif 000002
【図２】
0003622702.tif 000003
【図３】
0003622702.tif 000004
【図４】
0003622702.tif 000005
【図５】
0003622702.tif 000006
【図６】
0003622702.tif 000007
【図７】
0003622702.tif 000008
【図８】
0003622702.tif 000009
【図９】
0003622702.tif 000010
【図１０】
0003622702.tif 000011